(57)【要約】【課題】貯留された雨水に加圧して排出し、雨水の貯留量を増減させる。【解決手段】雨水貯留装置は、雨水を貯留可能に構成された貯留槽１１，４１と、地表に立てて並べられ底部が閉止されて内部に排出室１１ｅが形成された複数のパイプ状の中空部材１１ａと、複数の中空部材１１ａのそれぞれの排出室１１ｅを互いに連通接続する排水パイプ４７と、貯留槽１１，４１に貯留された雨水を排出室１１ｅに供給する排水ポンプ４６と、中空部材１１ａに設けられ排出室１１ｅに供給された雨水を外部に排出可能に構成された排出バルブ４８，４９とを備える。貯留槽は地下貯留槽４１又は地上貯留槽のいずれか一方又は双方からなることが好ましい。排出水位上昇防止バルブが排出室１１ｅの上部に設けられるか、貯留水位上昇防止バルブが貯留室１１ｂの上部に設けられる。【選択図】図１
2005054445.tif 000002
【特許請求の範囲】
【請求項１】
雨水を貯留可能に構成された貯留槽(11,41)と、
地表に立てて並べられ底部が閉止されて内部に排出室(11e)が形成された複数のパイプ状の中空部材(11a)と、
前記複数の中空部材(11a)のそれぞれの排出室(11e)を互いに連通接続する排水パイプ(47)と、
前記貯留槽(11,41)に貯留された雨水を前記排出室(11e)に供給する排水ポンプ(46)と、
前記中空部材(11a)に設けられ前記排出室(11e)に供給された雨水を外部に排出可能に構成された排出バルブ(48,49)と
を備えた雨水貯留装置。
【請求項２】
複数の中空部材(11a)の内部が隔壁(44)により区画されて前記中空部材(11a)の内部に排出室(11e)と別に貯留室(11b)がそれぞれ形成され、
貯留槽が、複数の前記中空部材(11a)のそれぞれの貯留室(11b)とそれぞれの前記貯留室(11b)とを連通接続させる連通管(30)とにより構成され雨水集水手段(12)により収集された雨水を貯留するように構成された地上貯留槽(11)である請求項１記載の雨水貯留装置。
【請求項３】
複数の中空部材(11a)の内部が隔壁(44)により区画されて前記中空部材(11a)の内部に排出室(11e)と別に貯留室(11b)がそれぞれ形成され、
貯留槽が地上貯留槽(11)と地下貯留槽(41)を備え、
前記地上貯留槽(11)は、複数の前記中空部材(11a)のそれぞれの貯留室(11b)とそれぞれの前記貯留室(11b)を直列に連通接続させる連通管(30)とを備え雨水集水手段(12)が連通接続された一端部の前記中空部材(11a)に接続されて前記雨水集水手段(12)により収集された雨水を貯留するように構成され、
前記地下貯留槽(41)は、地下に埋設され前記地上貯留槽(11)にオーバーフロー管(42)を介して接続され前記地上貯留槽(11)からオーバーフローした雨水を貯留するように構成された請求項１記載の雨水貯留装置。
【請求項４】
エアの上下方向の移動及び雨水の下方への移動を許容し雨水の上方への移動を禁止する貯留水位上昇防止バルブ(71)が貯留室(11b)の上部に設けられた請求項２又は３記載の雨水貯留装置。
【請求項５】
隔壁(44)に貯留室(11b)から排出室(11e)への雨水の移動を許容し前記排出室(11e)から前記貯留室(11b)への前記雨水の移動を禁止する逆流防止バルブ(51)が設けられた請求項２ないし４いずれか１項に記載の雨水貯留装置。
【請求項６】
排出バルブが複数の中空部材(11a)にそれぞれ設けられた蛇口(48)と散水栓(49)からなる請求項５記載の雨水貯留装置。
【請求項７】
排出室が第１排出室(11g)と第２排出室(11h)とにより構成され、前記第１排出室(11g)に逆流防止バルブ(51)が設けられて蛇口(48)が接続され、前記第２排出室(11h)に散水栓(49)が接続され、排水ポンプ(46)は前記第１及び第２排出室(11g,11h)の双方に地下貯留槽(41)に貯留された雨水を排水パイプ(47)を介して供給するよう構成された請求項６記載の雨水貯留装置。
【請求項８】
排水ポンプ(46)と第２排出室(11h)との間の排水パイプ(47b)にこの排水パイプ(47b)を遮断可能な電磁弁(52)が設けられた請求項７記載の雨水貯留装置。
【請求項９】
貯留槽が、地下に埋設され雨水集水手段(12)により収集された雨水を貯留するように構成された地下貯留槽(41)である請求項１記載の雨水貯留装置。
【請求項１０】
エアの上下方向の移動及び雨水の下方への移動を許容し雨水の上方への移動を禁止する排出水位上昇防止バルブが排出室(11e)の上部に設けられた請求項９記載の雨水貯留装置。
【請求項１１】
複数の中空部材(11a)が所定の間隔を開けて並べられ、前記中空部材(11a)の両方の側部又は一方の側部にフランジ(11d)が固着され、金網フェンス(43)が複数の前記中空部材(11a)の間に前記フランジ(11d)を介して取付けられた請求項１ないし１０いずれか１項に記載の雨水貯留装置。
【発明の詳細な説明】
【技術分野】
【０００１】
本発明は、建物の屋根又は屋上に落下して流下する雨水を貯留する雨水貯留装置に関するものである。
【背景技術】
【０００２】
従来、雨水から砂や微細な塵埃を除去してこれを貯留し、有効利用することが考えられており、雨水を貯めるための槽を設置するためのスペースを特別に設けることをなくすために、塀等の一部に雨水貯留槽を設ける地上型の雨水貯留槽（例えば、特許文献１参照。）や、地下に埋設して地表の有効活用を図る地下型の雨水貯留槽（例えば、特許文献２参照。）がそれぞれ提案されている。
【特許文献１】特開平９−１６５９４１号公報（図１）
【特許文献２】登録実用新案第３０１２１１８号（図２）
【発明の開示】
【発明が解決しようとする課題】
【０００３】
しかし、上述した従来の地上型の雨水貯留装置では、省スペースの効果を目的としたものがほとんどであって、特定の雨水利用方法との組み合わせを目的としていないのが現実である。例えば、上述した従来の地上型の雨水貯留装置では、塀等の一部として貯留槽を設けることにより省スペースを確保しているけれども、その塀等の設置面積が制限された場合には十分な貯留量を確保できない不具合がある。また、上述した従来の地下型の貯留装置では比較的多くの貯水量を確保することができるけれども、既に地下貯留槽を設置している場合のその貯留槽における貯水量を増加させるには、別の貯留槽を新たに埋設して接続する必要があり、貯水量を増加させることに関しては比較的困難である不具合があった。更に、上述した地上型又は地下型雨水貯留装置では、貯留された雨水を散水に用いるような場合には、一旦雨水をバケツ等にくみ取った後にその水を改めて散水に用いる必要があり、特定の雨水利用に関する場合を考慮していなかった。
本発明の目的は、貯留された雨水を散水に比較的容易に利用するとともに、車止めやフェンスとしても機能させ得る雨水貯留装置を提供することにある。
本発明の別の目的は、雨水の貯留量を比較的容易に増減し得る雨水貯留装置を提供することにある。
【課題を解決するための手段】
【０００４】
請求項１に係る発明は、図１，図３，図７及び図８に示すように、雨水を貯留可能に構成された貯留槽１１，４１と、地表に立てて並べられ底部が閉止されて内部に排出室１１ｅが形成された複数のパイプ状の中空部材１１ａと、複数の中空部材１１ａのそれぞれの排出室１１ｅを互いに連通接続する排水パイプ４７と、貯留槽１１，４１に貯留された雨水を排出室１１ｅに供給する排水ポンプ４６と、中空部材１１ａに設けられ排出室１１ｅに供給された雨水を外部に排出可能に構成された排出バルブ４８，４９とを備えた雨水貯留装置である。
この請求項１に係る雨水貯留装置では、貯留槽１１，４１に貯留された雨水は排水ポンプ４６を駆動することにより排水パイプ４７を介して複数の中空部材１１ａにおける排出室１１ｅに供給され、その中空部材１１ａに設けられた排出バルブ４８，４９を開放することにより雨水を比較的高い圧力で取り出すことができ、貯留された雨水を散水に比較的容易に利用するとともに、複数の中空部材１１ａを車止めやフェンスの支柱としても機能させることができる。また、中空部材１１ａの大きさ及び本数を調整することにより、この雨水貯留装置１０が貯留し得る雨水の貯留量を比較的容易に増減させることができる。
【０００５】
請求項２に係る発明は、請求項１に係る発明であって、図７に示すように、複数の中空部材１１ａの内部が隔壁４４により区画されて中空部材１１ａの内部に排出室１１ｅと別に貯留室１１ｂがそれぞれ形成され、貯留槽が、複数の中空部材１１ａのそれぞれの貯留室１１ｂとそれぞれの貯留室１１ｂとを連通接続させる連通管３０とにより構成され雨水集水手段１２により収集された雨水を貯留するように構成された地上貯留槽１１である雨水貯留装置である。
この請求項２に係る雨水貯留装置では、新たに雨水貯留装置を設置する場合であって、貯留槽を地下に埋設できない場合に特に有効である。
【０００６】
請求項３に係る発明は、請求項１に係る発明であって、図１及び図３に示すように、複数の中空部材１１ａの内部が隔壁４４により区画されて中空部材１１ａの内部に排出室１１ｅと別に貯留室１１ｂがそれぞれ形成され、貯留槽が地上貯留槽１１と地下貯留槽４１を備え、地上貯留槽１１は、複数の中空部材１１ａのそれぞれの貯留室１１ｂとそれぞれの貯留室１１ｂを直列に連通接続させる連通管３０とを備え雨水集水手段１２が連通接続された一端部の中空部材１１ａに接続されて雨水集水手段１２により収集された雨水を貯留するように構成され、地下貯留槽４１は、地下に埋設され地上貯留槽１１にオーバーフロー管４２を介して接続され地上貯留槽１１からオーバーフローした雨水を貯留するように構成された雨水貯留装置である。
【０００７】
この請求項３に係る雨水貯留装置では、地上貯留槽１１とその地上貯留槽１１からオーバーフローした雨水を貯留する地下貯留槽４１とを備えるので、地上貯留槽１１又は地下貯留槽４１だけを用いた雨水貯留装置に比較してその貯留し得る雨水の量を著しく増加させることができる。
また、地下貯留槽４１に貯留される雨水は雨水集水手段１２により集めらて地上貯留槽１１に一旦貯留された雨水である。従って、雨水に含まれていた塵埃は地上貯留槽１１を構成する複数の中空部材１１ａの一時的に貯留された時点で沈降し、ほとんど塵埃のない雨水のみが地下貯留槽４１に貯留され、塵埃の堆積に起因する地下貯留槽４１のメンテナンスを著しく低減させる。
【０００８】
請求項４に係る発明は、請求項２又は３に係る発明であって、図６に示すように、エアの上下方向の移動及び雨水の下方への移動を許容し雨水の上方への移動を禁止する貯留水位上昇防止バルブ７１が貯留室１１ｂの上部に設けられた雨水貯留装置である。
この請求項４に係る雨水貯留装置では、貯留水位上昇防止バルブ７１を設けるので、貯留室１１ｂに貯留された雨水の水位はこの貯留水位上昇防止バルブ７１を超えて上昇しない。従って、雨水集水手段１２により収集された雨水を最初に貯留する中空部材１１ａの貯留室１１ｂに雨水が貯留されてその水位がこの貯留水位上昇防止バルブ７１に達すると、それを超えて水位は上昇することはなく、雨水は連通管３０を介してより高い位置にある他の中空部材１１ａにおける貯留室１１ｂに流れて順次貯留される。よって、それぞれの貯留室１１ｂにおける全体に雨水を確実に貯留しつつ、中空部材１１ａの設置される高さを異なって設けることが可能になる。
【０００９】
請求項５に係る発明は、請求項２ないし４いずれか１項に係る発明であって、隔壁４４に貯留室１１ｂから排出室１１ｅへの雨水の移動を許容し排出室１１ｅから貯留室１１ｂへの雨水の移動を禁止する逆流防止バルブ５１が設けられた雨水貯留装置である。
この請求項５に係る雨水貯留装置では、排水ポンプ４６を駆動させていない状態であっても、排出バルブ４８，４９より貯留室１１ｂの水位が上昇している場合には、その雨水は逆流防止バルブ５１を介して貯留室１１ｂから排出室１１ｅに移動して排出バルブ４８，４９から取り出すことができる。また、この逆流防止バルブ５１は、排出室１１ｅから貯留室１１ｂへの雨水の移動を禁止するものであるので、排水ポンプ４６を駆動した場合に排出室１１ｅに供給された雨水の圧力が減少することを防止することができ、排出バルブ４８，４９を開放することにより雨水を減圧されない比較的高い圧力で取り出すことができる。
【００１０】
請求項６に係る発明は、請求項５に係る発明であって、排出バルブが複数の中空部材１１ａにそれぞれ設けられた蛇口４８と散水栓４９からなる雨水貯留装置である。
この請求項６に係る雨水貯留装置では、中空部材１１ａに設けられた蛇口４８を開放することにより排出室１１ｅ内部の雨水をバケツ等に取り出して散水や洗車用水等として多用途に利用することができる。また、中空部材１１ａに設けられた散水栓４９からは排水ポンプ４６を駆動することにより地下貯留槽４１に貯留された雨水を噴射することができ、中空部材１１ａが設けられた近傍の例えば駐車場や道路等に直接散水するすることができる。
【００１１】
請求項７に係る発明は、請求項６に係る発明であって、排出室が第１排出室１１ｇと第２排出室１１ｈとにより構成され、第１排出室１１ｇに逆流防止バルブ５１が設けられて蛇口４８が接続され、第２排出室１１ｈに散水栓４９が接続され、排水ポンプ４６は第１及び第２排出室１１ｇ，１１ｈの双方に地下貯留槽４１に貯留された雨水を排水パイプ４７を介して供給するよう構成された雨水貯留装置である。
この請求項７に係る雨水貯留装置では、蛇口４８と散水栓４９ろが別の排出室に接続されるので、蛇口４８から地上貯留槽１１に貯留された雨水を取り出して利用し、散水栓４９からは地下貯留槽４１に貯留された雨水を散布するような利用態様が可能になる。
【００１２】
請求項８に係る発明は、請求項７に係る発明であって、排水ポンプ４６と第２排出室１１ｈとの間の排水パイプ４７ｂにこの排水パイプ４７ｂを遮断可能は電磁弁５２が設けられた雨水貯留装置である。
この請求項８に係る雨水貯留装置では、電磁弁５２により排水パイプ４７ｂを閉じて排水ポンプ４６を駆動すると蛇口４８のみが使用可能になり、その蛇口４８を閉じて電磁弁５２を開放することにより複数の散水栓４９から一斉に雨水を噴射させることができる。即ち、雨水を散水に用いる場合に、複数の散水栓４９をそれぞれ開放させなくても、排水ポンプ４６を駆動して電磁弁５２を開放するだけの単純な作業で複数の散水栓４９から一斉に雨水を噴射させることができ、雨水を散水に用いる場合における作業性を低減することができる。
【００１３】
請求項９に係る発明は、請求項１に係る発明であって、図８に示すように、貯留槽が、地下に埋設され雨水集水手段１２により収集された雨水を貯留するように構成された地下貯留槽４１である雨水貯留装置である。
請求項１０に係る発明は、請求項９に係る発明であって、エアの上下方向の移動及び雨水の下方への移動を許容し雨水の上方への移動を禁止する排出水位上昇防止バルブが排出室１１ｅの上部に設けられた雨水貯留装置である。
この請求項９に係る雨水貯留装置では、既に地下貯留槽４１が埋設されている場合に雨水の貯留量を増加させたい場合に特に有効であり、請求項１０に係る雨水貯留装置では、排出水位上昇防止バルブを設けるので、複数の中空部材１１ａにおける排出室１１ｅに雨水を供給した場合、その雨水の水位はこの排出水位上昇防止バルブを超えて上昇しない。従って、その雨水が最初に供給される排出室１１ｅの水位がこの排出水位上昇防止バルブに達すると、雨水は排出パイプ４７を介して他の中空部材１１ａにおける排出室１１ｅに流れる。よって、中空部材１１ａの設置される高さを異なるようにしても、それぞれの排出室１１ｅにおける全体に雨水を確実に供給することができる。
【００１４】
請求項１１に係る発明は、請求項１ないし１０いずれか１項に係る発明であって、更に図２に示すように、複数の中空部材１１ａが所定の間隔を開けて並べられ、中空部材１１ａの両方の側部又は一方の側部にフランジ１１ｄが固着され、金網フェンス４３が複数の中空部材１１ａの間にフランジ１１ｄを介して取付けられた雨水貯留装置である。
この請求項１１に係る雨水貯留装置では、本発明の地上貯留槽１１を塀や柵又はフェンスとして機能させることができる。
【発明の効果】
【００１５】
以上述べたように、本発明によれば、貯留槽と、地表に立てて並べられ内部に排出室が形成された複数の中空部材と、それぞれの排出室を互いに連通接続する排水パイプと、貯留槽に貯留された雨水を排出室に供給する排水ポンプと、排出室に供給された雨水を外部に排出可能に構成された排出バルブとを備えたので、貯留槽に貯留された雨水は排水ポンプを駆動することにより排水パイプを介して複数の中空部材における排出室に供給され、その中空部材に設けられた排出バルブを開放することにより雨水を比較的高い圧力で取り出すことができる。また、中空部材の大きさ及び本数を調整することにより、この雨水貯留装置が貯留し得る雨水の貯留量を比較的容易に増減させることができる。
【００１６】
特に、貯留槽が地下貯留槽であれば、既に地下貯留槽が埋設されている場合に雨水の貯留量を増加させたい場合に特に有効であり、排出水位上昇防止バルブを排出室の上部に設ければ、中空部材の高さを異なるようにして設置することができる。一方、複数の中空部材の内部を隔壁により区画して排出室と別に貯留室を形成し、その貯留室とそれぞれの貯留室を連通接続する連通管とにより地上貯留槽を形成すれば、新たに雨水貯留装置を設置する場合であって、貯留槽を地下に埋設できない場合に特に有効である。そして、貯留槽が地上貯留槽と地下貯留槽とを備えれば、貯留し得る雨水の量を著しく増加させることができる。また、地下貯留槽に貯留される雨水は雨水集水手段により集めらて地上貯留槽に一旦貯留された雨水であるので、雨水に含まれていた塵埃は地上貯留槽を構成する複数の中空部材の一時的に貯留された時点で沈降し、ほとんど塵埃のない雨水のみが地下貯留槽に貯留され、塵埃の堆積に起因する地下貯留槽のメンテナンスを著しく低減させることができる。
【００１７】
また、貯留水位上昇防止バルブを貯留室の上部に設ければ、それぞれの貯留室における全体に雨水を確実に貯留しつつ、中空部材の設置される高さを異なって設けることが可能になる。そして、隔壁に貯留室から排出室への雨水の移動を許容し排出室から貯留室への雨水の移動を禁止する逆流防止バルブを設ければ、排水ポンプを駆動させていない状態であっても、排出バルブより貯留室の水位が上昇している場合に、その雨水を排出バルブから取り出すことができる。
ここで、複数の中空部材を所定の間隔を開けて並べ、中空部材の両方の側部又は一方の側部にフランジを固着し、金網フェンスを複数の中空部材の間にフランジを介して取付ければ、本発明の地上貯留槽を塀や柵又はフェンスとして機能させることができる。
【発明を実施するための最良の形態】
【００１８】
次に本発明を実施するための最良の形態を図面に基づいて説明する。
図１に示すように、本発明の雨水貯留装置１０は地上貯留槽１１と地下貯留槽４１とを備える。地上貯留槽１１は雨水集水手段１２により収集された雨水を最初に貯留するためのものであり、地表に立てて並べられた複数のパイプ状の中空部材１１ａと、これら複数の中空部材１１ａの内部に形成された貯留室１１ｂを互いに連通接続する連通管３０とを有する。雨水集水手段１２は、雨水流入管１３と、その雨水流入管１３に設けられた流下雨水の濾過装置２０とを備える。図における雨水流入管１３は家屋１４の屋根１４ａの縁に設けられた雨樋１５に上端が接続された筒状物であり、家屋１４の屋根１４ａに落ちた雨が雨樋１５に流入して集められ、集められた雨水は雨樋１５から雨水流入管１３に進入してその雨水流入管１３の内部を流下するように構成される。
【００１９】
濾過装置２０は鉛直管２１とバルブ室２２とにより構成される。この実施の形態における鉛直管２１は雨水流入管１３の下端に上端が接続され、鉛直管２１の側部には開口部２１ａが形成される。開口部２１ａの下端に相当する鉛直管２１の内部には略水平にリング２３が設けられる。リング２３には、その中央孔を塞ぐようにストレーナ２６が取付けられる。一方、バルブ室２２はその開口部２１ａを覆うように鉛直管２１に水密に取付けられ、その鉛直管２１に開口部２１ａを介して連通するように構成される。そしてバルブ室２２の底部にはバルブ室２２に流入した雨水を排出する排水バルブ２４が設けられる。バルブ室２２の内部にはボール弁２７が設けられ、このボール弁２７により塞がれる円孔付き弁座２８がバルブ室２２の内部を略水平に仕切るように設けられる。そして、鉛直部内の水位が開口部２１ａを上回る状態で弁体２７はその浮力により上昇して弁座２８に当接してバルブ室２２を密閉するように構成される。
【００２０】
図１ないし図３に示すように、地上貯留槽１１を形成する複数の中空部材１１ａはその底部が閉止されて内部に貯留室１１ｂが形成される。そして、この実施の形態では、これら複数のパイプ状の中空部材１１ａはその埋設される底部において互いに連通管３０によって直列に連通接続される。家屋１４に近い中空部材１１ａと鉛直管２１の下端とは導入管３０ａにより連通接続される。雨水集水手段１２の濾過装置２０を構成する鉛直管２１の下部には逆流防止弁３１が設けられる。また導入管３０ａの一部にはドレンバルブ３２が設けられる。この雨水集水手段１２により収集された雨水はこの導入管３０ａを介して複数の中空部材１１ａのそれぞれの貯留室１１ｂに貯留するように構成される。なお、逆流防止弁３１は中央に丸孔３１ｂが形成された弁座３１ａと、弁座３１ａより下方に設けられ丸孔３１ｂを封止可能なボール弁３１ｃとを備え、ボール弁３１ｃが丸孔３１ｂを封止することにより導入管３０ａから鉛直管２１に向かう雨水流を防止するように構成される。ドレンバルブ３２は、鉛直管２１、導入管３０ａ、中空部材１１ａ及び連通管３０の各内部に溜まる雨水内の沈殿物等の微細な異物を外部に排出可能に構成される。
【００２１】
地下貯留槽４１はプラスチック、金属又はコンクリートにより５００〜３０００リットルの内容積を有する扁平の箱型に形成され、その上面が地表から３００〜５００ｍｍの深さとなるように地下に埋設される。この地下貯留槽４１と地上貯留槽１１とはオーバーフロー管４２により接続される。オーバーフロー管４２は複数の中空部材１１ａの少なくとも１つの内部に立設される。これによりオーバーフロー管４２の上部が地上貯留槽１１を構成する中空部材１１ａに接続され、下部が地下貯留槽４１に接続される。中空部材１１ａはその上端が閉止され、オーバーフロー管４２の上端より上方にエア抜き孔１１ｃが形成される（図３）。ここで、オーバーフロー管４２の上端は中空部材１１ａの貯留室１１ｂにおける内部高さの８０〜９０％の高さに位置するように構成される。そして、雨水集水手段１２により収集された雨水が導入管３０ａ及び連通管３０を介して中空部材１１ａの貯留室１１ｂに貯留されるとその水位は上昇し、その水位がオーバーフロー管４２の上端を越えて上昇した時点で雨水は地上貯留槽１１からオーバーフロー管４２に上端から流入し、そのオーバーフロー管４２を下降して地下貯留槽４１の内部に流入して貯留されるように構成される。
【００２２】
図１及び図２に示すように、複数の中空部材１１ａは所定の間隔、この実施の形態では１５０〜３００ｃｍの間隔を開けて１０本並べられる例を示す。そして中空部材１１ａは直径が２０〜４０ｃｍの円筒状物であってその高さが１００〜２００ｃｍのものが用いられ、その内部の貯留室１１ｂにおける容積と本数の積により求められる地上貯留槽１１の貯留容積は３００〜２６００リットルになるように構成される。図２に詳しく示すように、中空部材１１ａの両方の側部又は一方の側部にはフランジ１１ｄが固着され、金網フェンス４３が複数の中空部材１１ａの間にフランジ１１ｄを介して取付けられる。具体的に説明すると、フランジ１１ｄには雌ねじ孔１１ｆが形成され、フランジ１１ｄに金網フェンス４３を当接させ、その状態で金網フェンス４３の目より大きな座金４３ａをその雌ねじ孔１１ｆに対向するように金網フェンス４３に当接させ、そしてその座金４３ａ及び金網フェンス４３を貫通させた雄ねじ４３ｂを雌ねじ孔１１ｆに螺合させることにより、金網フェンス４３が複数の中空部材１１ａの間にフランジ１１ｄを介して取付けられる。
【００２３】
図３に示すように、中空部材１１ａには、その下部が隔壁４４により区画されて貯留室１１ｂと別に排出室１１ｅが内部に形成される。そして、地下貯留槽４１が設けられた地表にはその地下貯留槽４１に貯留された雨水を排出するための排水ポンプ４６が設けられる。このポンプ４６は排水パイプ４７を介して地下貯留槽４１に貯留された雨水を排出室１１ｅに供給するように構成され、排出室１１ｅ内部の雨水を外部に排出可能に構成された排出バルブ４８，４９が中空部材１１ａに設けられる。この実施の形態における排出バルブは、複数の中空部材１１ａにそれぞれ設けられた蛇口４８と散水栓４９からなり、隔壁４４には貯留室１１ｂから排出室１１ｅへの雨水の移動を許容し排出室１１ｅから貯留室１１ｂへの雨水の移動を禁止する逆流防止バルブ５１が設けられる。この逆流防止バルブ５１は隔壁４４の水平部分に形成された丸孔５１ｂと、その丸孔５１ｂを下方から封止可能な比重が１未満のボール弁５１ｃと、このボール弁５１ｃを上下動可能に包囲する金網５１ｄとを備え、ボール弁５１ｃが浮き上がって丸孔５１ｂを封止することにより排出室１１ｅから貯留室１１ｂに向かう雨水流を防止するように構成される。
【００２４】
次にこのように構成された雨水貯留装置の動作を説明する。
雨が家屋１４の屋根１４ａに降ると、雨はその屋根１４ａの傾斜に沿って流れて雨樋１５に流入して集められる。集められた雨水は雨樋１５から雨水流入管１３に進入してその雨水流入管１３の内部を流下し、濾過装置２０を構成する鉛直管２１の内部に溜まる。雨が降り続いて鉛直管２１内部の水位が上昇するとその雨水はバルブ室２２に流入し、排水バルブ２４から外部に排出される量を超えて増加すると、バルブ室２２の内部で弁体２７が浮上して弁座２８に当接してバルブ室２２を密閉する。従って、雨水がこのバルブ室２２における弁座２７の円孔２７ａから外部に排出されるようなことはなく、雨水はストレーナ２６により濾過されて下方の鉛直管２１に流入する。
【００２５】
鉛直管２１の下端から雨水は導入管３０ａを介して地上貯留槽１１に流れ、地上貯留槽１１を構成する連通管３０の内部及び複数の中空部材１１ａのそれぞれの貯留室１１ｂに貯留される。ここで、中空部材１１ａの上端は閉止してあるけれども、エア抜き孔１１ｃを設けたので内部が閉塞空間になることはなく水位の上昇がエア圧により妨げられるようなことはない。中空部材１１ａの貯留室１１ｂに雨水が貯留され始めると水位は上昇し、その水位がオーバーフロー管４２の上端を越えて上昇した時点で雨水は地上貯留槽１１からオーバーフロー管４２に上端から流入し、そのオーバーフロー管４２を下降して地下貯留槽４１の内部に流入して貯留される。よって、地上貯留槽１１又は地下貯留槽４１だけを用いた雨水貯留装置に比較してその貯留し得る雨水の量を著しく増加させることができる。
【００２６】
ここで、地下貯留槽４１には、雨水集水手段１２により集められた雨水であって、地上貯留槽１１に一旦貯留されてオーバーフローした雨水のみがを貯留される。従って、たとえ導入管３０ａから供給された雨水に塵埃が含まれていても、その雨水中における塵埃は地上貯留槽１１を構成する複数の中空部材１１ａの一時的に貯留された時点で沈降し、ほとんど塵埃のない雨水のみが地下貯留槽４１に貯留されることになる。従って、本発明の雨水貯留装置に用いられる地下貯留槽４１は、塵埃の堆積に起因するメンテナンスを著しく低減させることができる。一方、実際に塵埃が堆積するおそれのある地上貯留槽１１のメンテナンスは比較的容易である。従って、本発明の雨水貯留装置は沈殿槽が設けられた従来の地下貯留槽に比較してそのメンテナンスが容易になる。
【００２７】
また、地下貯留槽４１に貯留された雨水は排水ポンプ４６を駆動することにより排水パイプ４７を介して複数の中空部材１１ａにおける排出室１１ｅに供給される。そして、その中空部材１１ａに設けられた蛇口４８を開放することにより排出室１１ｅ内部の雨水を比較的高い圧力で取り出すことができ、散水や洗車用水等として利用することができる。この実施の形態では、貯留室１１ｂと排出室１１ｅとを区切る隔壁４４に逆流防止バルブ５１を設けたので、排水ポンプ４６を駆動させていない状態であっても、その蛇口４８より水位が上昇して貯留室１１ｂに雨水が貯留されている場合には、雨水は逆流防止バルブ５１を介して貯留室１１ｂから排出室１１ｅに移動してその蛇口４８から取り出すことができる。ここで、この逆流防止バルブ５１は、排出室１１ｅから貯留室１１ｂへの雨水の移動を禁止するものであるので、排水ポンプ４６を駆動した場合に排出室１１ｅに供給された雨水の圧力が減少することを防止することができ、排出バルブ４８，４９を開放することにより雨水を減圧されない比較的高い圧力で取り出すことができる。
【００２８】
また、この実施の形態では、中空部材１１ａには蛇口４８の他に散水栓４９を設けたので、蛇口４８を閉じて排水ポンプ４６を駆動し、散水栓４９を開放することにより地下貯留槽４１に貯留された雨水をその散水栓４９から噴射することができ、中空部材１１ａが設けられた近傍の例えば駐車場や道路等に直接散水することができる。
一方、地上貯留槽１１の内部における雨水の水位が鉛直管２１の開口部２１ａより高い時には、雨水が鉛直管２１に逆流することになるけれども、鉛直管２１の下端にはそれを防止する逆流防止弁３１が設けるため、雨が止んで鉛直管２１内部の水がなくなったとしても、地上貯留槽１１から鉛直管２１に雨水が逆流することはない。
【００２９】
また、濾過装置２０のストレーナ２６の濾過作用により大半の塵埃は除去されるものの、長期的のこの装置を使用すると、ストレーナ２６をわずかながら通過した異物が沈降して鉛直管２１、導入管３０ａ、連通管３０及び中空部材１１ａの各内部に沈殿するおそれがある。このため、これらの各内部は所定期間毎に洗浄する必要がある。ここで、この実施の形態における雨水貯留装置では、導入管３０ａにドレンバルブ３２を設けたので、このドレンバルブ３２を開放することにより鉛直管２１及び連通管３０、導入管３０ａ、連通管３０及び中空部材１１ａの各内部の水をこのドレンバルブ３２から排出させることができ、この内部の水を排出させることによりそれらの各内部に沈殿した異物を外部に容易に排出させることができる。
【００３０】
なお、上述した実施の形態では、中空部材１１ａに単一の排出室１１ｅが形成された例を示したが排出室は複数形成しても良い。図４に２つの排出室１１ｇ，１１ｈが形成された例を示す。この排出室は第１排出室１１ｇと第２排出室１１ｈにより構成され、第１排出室１１ｇに逆流防止弁３１を設けて蛇口４８を接続し、第２排出室１１ｈに散水栓４９が接続される。このような雨水貯留装置では、例えば図５に示すように、車庫５３の前の道路５４の両側に歩道５６と区別するために複数の中空部材１１を所定の間隔を開けて並べることもできる。すると、中空部材１１ａには蛇口４８と散水栓４９が別の排出室に接続されているので、蛇口４８から地上貯留槽１１に貯留された雨水を取り出して利用し、散水栓４９からは地下貯留槽４１に貯留された雨水を道路に直接散布するような利用態様が可能になる。
【００３１】
この場合には、第１及び第２排出室１１ｇ、１１ｈの双方に地下貯留槽４１に貯留された雨水を別々の排水パイプ４７ａ，４７ｂを介して排水ポンプ４６が供給することになるけれども、単一の排水ポンプ４６を用いる場合には、図４に示すように排水ポンプ４６と第２排出室１１ｅとの間の排水パイプ４７ｂにこの排水パイプ４７ｂを遮断可能な電磁弁５２を設けることが好ましい。電磁弁５２は排水ポンプ４６近傍に設けられたスイッチ５２ａにより動作し、このように電磁弁５２を設ければ、電磁弁５２により排水パイプ４７ｂを閉じて排水ポンプ４６を駆動すると蛇口４８のみが使用可能になり、その蛇口４８を閉じて電磁弁５２を開放することにより複数の散水栓４９から一斉に雨水を噴射させることができる。即ち、雨水を散水に用いる場合に、複数の散水栓４９をそれぞれ開放させなくても、単一の排水ポンプ４６を駆動して電磁弁５２を開放するだけの単純な作業で複数の散水栓４９から一斉に雨水を噴射させることができ、雨水を散水に用いる場合における作業性を低減することができる。
【００３２】
また、上述した実施の形態では、複数の中空部材１１ａを平坦な地表に立てて並べられた例を示したが、複数の中空部材１１ａは傾斜した地表又は図６に示すような階段状に形成された地表に立てて並べてもよい。但し、図６に示すように雨水集水手段１２により収集された雨水を最初に貯留する中空部材１１ａより他の中空部材１１ａが高い位置になるような場合には、その貯留室１１ｂの上部にそれ以上の水位の上昇を禁止する貯留水位上昇防止バルブ７１を設け、それより高所にエア抜き孔１１ｃを形成する必要がある。貯留室１１ｂの上部における中空部材１１ａの内部に設けられた図６に示す貯留水位上昇防止バルブ７１は、中空部材１１ａの内部にその内部を分離するように水平に設けられ中央に丸孔７１ｂが形成された仕切板７１ａと、その丸孔７１ｂを下方から封止可能な比重が１未満のボール弁７１ｃと、このボール弁７１ｃを上下動可能に包囲する金網７１ｄとを備える。そしてこの貯留水位上昇防止バルブ７１では、ボール弁７１ｃが下がっている場合にはエアの上下方向の移動及び雨水の下方への移動が許容され、貯留室１１ｂに雨水が貯留されてその水位が上昇するとボール弁７１ｃが浮き上がって丸孔７１ｂを封止し、雨水が丸孔７１ｂを超えて上方へ移動することを禁止するように構成される。
【００３３】
この図６における雨水貯留装置１０では、その貯留室１１ｂの上部にそれ以上の水位の上昇を禁止する貯留水位上昇防止バルブ７１を設けたので、この貯留水位上昇防止バルブ７１の存在により、貯留室１１ｂに貯留された雨水の水位はこの貯留水位上昇防止バルブ７１を超えて上昇しない。従って、雨水集水手段１２により収集された雨水を最初に貯留する中空部材１１ａの貯留室１１ｂに雨水が貯留されてその水位がこの貯留水位上昇防止バルブ７１に達すると、それを超えて水位は上昇することはなく、雨水は連通管３０を介してより高い位置にある他の中空部材１１ａにおける貯留室１１ｂに流れて順次貯留される。よって、中空部材１１ａの設置される高さが異なっても、それぞれの貯留室１１ｂにおける全体に雨水を確実に貯留することができる。そして、中空部材１１ａの大きさ及び本数を調整することにより、この雨水貯留装置１０が貯留し得る雨水の貯留量も比較的容易に増減させることが可能になる。
【００３４】
また、上述した実施の形態では、地上貯留槽１１と地下貯留槽４１とを備える雨水貯留装置１０を説明したが、図７に示すように、雨水貯留装置１０は地上貯留槽１１のみを備えるものであっても良い。即ち、図７に示す雨水貯留装置１０は、複数の中空部材１１ａの内部が隔壁４４により区画されて中空部材１１ａの内部に排出室１１ｅと別に貯留室１１ｂがそれぞれ形成され、複数の中空部材１１ａのそれぞれの貯留室１１ｂとそれぞれの貯留室１１ｂとを連通接続させる連通管３０とにより地上貯留槽１１が構成される。そして、排水ポンプ４６は、排水パイプ４７を介して地上貯留槽１１に貯留された雨水を排出室１１ｅに供給するように構成され、排出室１１ｅ内部の雨水を外部に排出可能に構成された排出バルブ４８，４９が中空部材１１ａに設けられる。
【００３５】
この図７に示すような雨水貯留装置１０であっても、地上貯留槽１１に貯留された雨水は排水ポンプ４６を駆動することにより排水パイプ４７を介して複数の中空部材１１ａにおける排出室１１ｅに供給され、その中空部材１１ａに設けられた蛇口４８を開放することにより雨水を比較的高い圧力で取り出すことができ、散水や洗車用水等として利用することができる。また、中空部材１１ａの大きさ及び本数を調整することにより、この雨水貯留装置１０が貯留し得る雨水の貯留量を比較的容易に増減させることが可能になる。
【００３６】
更に、上述した実施の形態では、地上貯留槽１１と地下貯留槽４１とを備える雨水貯留装置１０を説明したが、図８に示すように、雨水貯留装置１０は地下貯留槽４１のみを備えるものであっても良い。即ち、図８に示す雨水貯留装置１０は、貯留槽が、地下に埋設された地下貯留槽４１に雨水集水手段１２により収集された雨水がその雨水集水手段１２から直接流入して貯留するように構成される。そして、底部が閉止されて地表に立てて並べられた複数のパイプ状の中空部材１１ａの内部には排出室１１ｅのみが形成される。排水ポンプ４６は、排水パイプ４７を介して地下貯留槽４１に貯留された雨水を排出室１１ｅに供給するように構成され、排出室１１ｅ内部の雨水を外部に排出可能に構成された排出バルブ４８，４９が中空部材１１ａに設けられる。
【００３７】
この図８に示すような雨水貯留装置１０であっても、地下貯留槽４１に貯留された雨水は排水ポンプ４６を駆動することにより排水パイプ４７を介して複数の中空部材１１ａにおける排出室１１ｅに供給され、その中空部材１１ａに設けられた蛇口４８を開放することにより雨水を比較的高い圧力で取り出すことができ、散水や洗車用水等として利用することができる。また、排出室１１ｅにも実質的に雨水を貯留できることになるので、中空部材１１ａの大きさ及び本数を調整することにより、この雨水貯留装置１０が貯留し得る雨水の貯留量を比較的容易に増減させることが可能になる。
【００３８】
但し、複数の中空部材１１ａを傾斜した地表又は階段状に形成された地表に立てて並べる場合には、図示しないけれどもエアの上下方向の移動及び雨水の下方への移動を許容し雨水の上方への移動を禁止する排出水位上昇防止バルブをその排出室１１ｅの上部に設け、その排出水位上昇防止バルブを超えてそれ以上の水位の上昇を禁止して、それより高所にエア抜き孔を形成する必要がある。この排出水位上昇防止バルブはそれ以上の水位の上昇を禁止するものであれば、前述した図６に示す貯留水位上昇防止バルブ７１と同一のものであっても良い。排出水位上昇防止バルブを設ければ、排水パイプ４７を介して複数の中空部材１１ａにおける排出室１１ｅに雨水を供給した場合、排出室１１ｅに供給された雨水の水位はこの排出水位上昇防止バルブを超えて上昇しない。従って、排水ポンプ４６を駆動して雨水を排出室１１ｅに供給し、その雨水が最初に供給される排出室１１ｅの水位がこの排出水位上昇防止バルブに達すると、それを超えて水位は上昇することはなく、雨水は排出パイプ４７を介してより高い位置にある他の中空部材１１ａにおける排出室１１ｅに流れる。よって、中空部材１１ａの設置される高さが異なっても、それぞれの排出室１１ｅにおける全体に雨水を確実に供給することができる。
【図面の簡単な説明】
【００３９】
【図１】本発明の雨水貯留装置を示す概念図。
【図２】その中空部材に金網フェンスが取付けられる状態を示す図１のＡ部拡大図。
【図３】その中空部材の内部構造を示す図２のＢ−Ｂ線断面図。
【図４】本発明の別の中空部材を示す図３に対応する断面図。
【図５】その別の中空部材が道路と歩道を区画するように並べられた状態を示す図。
【図６】中空部材が高さを異にして設けられた別の雨水貯留装置を示す図１に対応する概念図。
【図７】地上貯留槽のみを有する別の雨水貯留装置を示す図１に対応する概念図。
【図８】地下貯留槽のみを有する別の雨水貯留装置を示す図１に対応する概念図。
【符号の説明】
【００４０】
１１  地上貯留槽
１１ａ  中空部材
１１ｂ  貯留室
１１ｃ  エア抜き孔
１１ｄ  フランジ
１１ｅ  排出室
１１ｇ  第１排出室
１１ｈ  第２排出室
１２  雨水集水手段
３０  連通管
４１  地下貯留槽
４２  オーバーフロー管
４３  金網フェンス
４４  隔壁
４６  排水ポンプ
４７  排水パイプ
４７ｂ  排水ポンプと第２排出室との間の排水パイプ
４８  蛇口（排出バルブ）
４９  散水栓（排出バルブ）
５１  逆流防止バルブ
５２  電磁弁
７１  貯留水位上昇防止バルブ
【図１】
2005054445.tif 000003
【図２】
2005054445.tif 000004
【図３】
2005054445.tif 000005
【図４】
2005054445.tif 000006
【図５】
2005054445.tif 000007
【図６】
2005054445.tif 000008
【図７】
2005054445.tif 000009
【図８】
2005054445.tif 000010